(57)【要約】      （修正有）【課題】トランペットのバズィングの練習用としてコンパクトで簡易に持ち運び任意の場所で練習ができ、ミュートも可能なバズィング練習器具及びトランペット練習セットを提供する。【解決手段】バズィング練習器具１００は、第１のマウスパイプ１０と第２のマウスパイプ２０を有し、第１のマウスパイプ１０の第１の空洞Ｋ１にマウスピースのシャンクが挿し込まれるように形成されている。バズィング練習器具は、ミュート用部材３０を有し、ミュート用部材は、第４の空洞Ｋ４に嵌め込まれるように形成されている。バズィング練習器具は、トランペット運指練習器具２００とともに用いられるように、蓋部の表面に棒状の練習器具接続部２０ｄを有している。バズィング練習器具は、トランペットの実器と同じ音域で行なうことや高音域のひっかかりがない練習が期待できる。【選択図】図１
0003217921.tif 000002
【実用新案登録請求の範囲】
【請求項１】
トランペットのマウスピースとともに用いるバズィング練習器具であって、
パイプ状に形成され空洞を有するマウスパイプ本体と、
前記マウスパイプ本体の空洞の一方は、前記マウスピースのパイプ状のシャンクが挿し込まれ接合されるように形成されており、
前記マウスパイプ本体の空洞の他方は、一または複数の貫通孔が設けられた蓋部を有し、前記蓋部と一体的になるように形成されていることを特徴とするバズィング練習器具。
【請求項２】
ミュート用部材を有し、
前記ミュート用部材は、前記空洞に嵌め込まれるように形成されていることを特徴とする請求項１に記載のバズィング練習器具。
【請求項３】
前記マウスパイプ本体は、第１のマウスパイプと第２のマウスパイプを有し、
前記第１のマウスパイプは、第１の空洞を有するパイプ状の第１のパイプと、前記第１のパイプと一体的になるように形成されている第２の空洞を有するパイプ状の第２のパイプと、前記第２のパイプと一体的になるように形成されているパイプ状の第３の空洞を有する第３のパイプと、を有し、
前記第２のマウスパイプは、前記一または複数の貫通孔が設けられた蓋部と、前記蓋部と一体的になるように形成されている第４の空洞を有するパイプ状の第４のパイプと、を有し、
前記第１の空洞の内径は、前記マウスピースのパイプ状のシャンクが挿し込まれ接合されるように形成されており、
前記第２の空洞の内径は、前記第１の空洞の内径より小さくなるように形成されており、
前記第３の空洞の内径は、前記第１の空洞の内径及び前記第２の空洞の内径より大きくなるように形成されており、
前記第４のパイプの外周が、前記第３のパイプの内周に嵌め込まれるように形成されていることを特徴とする請求項１に記載のバズィング練習器具。
【請求項４】
ミュート用部材を有し、
前記ミュート用部材は、前記第４の空洞に嵌め込まれるように形成されていることを特徴とする請求項３に記載のバズィング練習器具。
【請求項５】
前記ミュート用部材は、密度の高いウレタンまたは密度の低いウレタンで形成されていることを特徴とする請求項４に記載のバズィング練習器具。
【請求項６】
トランペット運指練習器具とともに用いられるように、前記蓋部の表面に棒状の練習器具接続部を有することを特徴とする請求項１から請求項５のいずれかに記載のバズィング練習器具。
【請求項７】
請求項６に記載のバズィング練習器具とトランペット運指練習器具を有するトランペット練習セットであって、
前記トランペット運指練習器具は、ピストンバルブとパイプ状のフックパイプを有し、
前記バズィング練習器具の練習器具接続部が、前記フックパイプに挿し込まれるように形成されていることを特徴とするトランペット練習セット。
【請求項８】
前記トランペット運指練習器具は、ピンキーフックを有することを特徴とする請求項７に記載のトランペット練習セット。
【考案の詳細な説明】
【技術分野】
【０００１】
本考案は、バズィング練習器具及びトランペット練習セットに関する。
【背景技術】
【０００２】
トランペットの運指の種類は、例えば５６通りのパターンがあり、これらのパターンを習熟するために、練習するときに手で把持することができ、例えば、携帯端末と同じような大きさで簡易に持ち運びできることで、どこでも練習が可能な低価格のトランペット運指練習器具が必要とされており、安易に持ち運びができ手で把持することができることにより、任意の場所でトランペットの運指を練習することができるトランペット運指練習器具が開発されている。
【先行技術文献】
【特許文献】
【０００３】
【特許文献１】実登３２０４２４７号公報
【考案の概要】
【考案が解決しようとする課題】
【０００４】
上記のとおりトランペットの運指を習熟するためには、トランペット運指練習器具が用いられている。一方、トランペットの習熟には、運指の練習とともにバズィングの練習も必要であり、マウスピースとともにバズィングの練習をすることができるものが求められており、また、バズィングの練習と運指の練習を同時に行うことができるものが求められていた。
【０００５】
そこで本考案は、このような課題を解決するためになされたもので、トランペットのバズィングの練習用としてコンパクトで簡易に持ち運び任意の場所で練習ができ、ミュートも可能なバズィング練習器具及びこれを用いたトランペット練習セットを提供することである。
【課題を解決するための手段】
【０００６】
上記課題を解決するために、本考案に係るバズィング練習器具は、トランペットのマウスピースとともに用いるバズィング練習器具であって、パイプ状に形成され空洞を有するマウスパイプ本体と、前記マウスパイプ本体の空洞の一方は、前記マウスピースのパイプ状のシャンクが挿し込まれ接合されるように形成されており、前記マウスパイプ本体の空洞の他方は、一または複数の貫通孔が設けられた蓋部を有し、前記蓋部と一体的になるように形成されている。また、ミュート用部材を有し、前記ミュート用部材は、前記空洞に嵌め込まれるように形成されていることが望ましい。
【０００７】
本考案に係るバズィング練習器具の態様について、上記のマウスパイプ本体は、第１のマウスパイプと第２のマウスパイプを有し、前記第１のマウスパイプは、第１の空洞を有するパイプ状の第１のパイプと、前記第１のパイプと一体的になるように形成されている第２の空洞を有するパイプ状の第２のパイプと、前記第２のパイプと一体的になるように形成されているパイプ状の第３の空洞を有する第３のパイプと、を有し、前記第２のマウスパイプは、一または複数の貫通孔が設けられた蓋部と、前記蓋部と一体的になるように形成されている第４の空洞を有するパイプ状の第４のパイプと、を有し、前記第１の空洞の内径は、前記マウスピースのパイプ状のシャンクが挿し込まれ接合されるように形成されており、前記第２の空洞の内径は、前記第１の空洞の内径より小さくなるように形成されており、前記第３の空洞の内径は、前記第１の空洞の内径及び前記第２の空洞の内径より大きくなるように形成されており、前記第４のパイプの外周が、前記第３のパイプの内周に嵌め込まれるように形成されている。また、ミュート用部材を有し、前記ミュート用部材は、前記第４の空洞に嵌め込まれるように形成されており、前記ミュート用部材は、密度の高いウレタンまたは密度の低いウレタンで形成されていることが好ましい。
【０００８】
本考案に係るバズィング練習器具の態様について、トランペット運指練習器具とともに用いられるように、前記蓋部の表面に棒状の練習器具接続部を有することが好ましい。
【０００９】
上記課題を解決するために、本考案に係るトランペット練習セットは、上記のバズィング練習器具とトランペット運指練習器具を有するトランペット練習セットであって、前記トランペット運指練習器具は、ピストンバルブとパイプ状のフックパイプを有し、前記バズィング練習器具の練習器具接続部が、前記フックパイプに挿し込まれるように形成されていることを特徴とする。また、前記トランペット運指練習器具は、ピンキーフックを有することが好ましい。
【考案の効果】
【００１０】
本考案のバズィング練習器具及びトランペット練習セットによれば、トランペットのバズィングの練習用としてコンパクトで簡易に持ち運び任意の場所で練習ができ、ミュートも可能なバズィング練習器具及びこれを用いたトランペット練習セットを提供することができる。
【図面の簡単な説明】
【００１１】
【図１】実施形態のバズィング練習器具及びトランペット練習セットの一例を示す模式図である。
【図２】バズィング練習器具にマウスピースが差し込まれた一例を示す参考図である。
【図３】バズィング練習器具を説明する参考図である。
【考案を実施するための形態】
【００１２】
本考案のトランペット運指練習器具の実施形態を図１から図４を用いて説明する。図1（ａ）は、バズィング練習器具１００の一例を示す模式図であり、図１（ｂ）は、バズィング練習器具１００を用いたトランペット練習セット３００の一例を示す模式図である。図２（ａ）は、バズィング練習器具１００を用いたトランペット練習セット３００を示す参考図であり、図２（ｂ）は、トランペット練習セット３００にマウスピースＭが差し込まれている一例を示す参考図であり、図２（ｃ）は、バズィング練習器具１００にマウスピースＭが差し込まれている一例を示す参考図である。図３は、バズィング練習器具１００の各構成を説明する参考図である。
【００１３】
本考案のトランペットのマウスピースとともに用いるバズィング練習器具は、パイプ状に形成され空洞を有するマウスパイプ本体と、マウスパイプ本体の空洞の一方が、マウスピースのパイプ状のシャンクが挿し込まれ接合されるように形成されており、マウスパイプ本体の空洞の他方が、一または複数の貫通孔が設けられた蓋部を有しており、マウスパイプ本体は、この蓋部と一体的になるように形成されている。また、バズィング練習器具は、ミュート用部材を有し、このミュート用部材は、空洞に嵌め込まれるように形成されている。
【００１４】
以下、本考案の具体的な実施形態の一例としてのバズィング練習器具１００及びトランペット練習セット３００について説明する。なお、この実施形態は一例であり、これに限定されず本考案に基づき適宜最適な構成にすることができる。
【００１５】
バズィング練習器具１００は、トランペットのマウスピースＭとともに用いるように形成されている第１のマウスパイプ１０と第２のマウスパイプ２０を有している。
【００１６】
第１のマウスパイプ１０は、第１の空洞Ｋ１を有するパイプ状の第１のパイプ１０ａと、第１のパイプ１０ａと一体的になるように形成されている第２の空洞Ｋ２を有するパイプ状の第２のパイプ１０ｂと、第２のパイプ１０ｂと一体的になるように形成されているパイプ状の第３の空洞Ｋ３を有する第３のパイプを有している。
【００１７】
第２のマウスパイプ２０は、一または複数の貫通孔２０ｃが設けられた蓋部２０ｂと、蓋部２０ｂと一体的になるように形成されている第４の空洞Ｋ４を有するパイプ状の第４のパイプ２０ａを有している。
【００１８】
上記の構成を有するバズィング練習器具１００において、第１の空洞Ｋ１の内径は、マウスピースＭのパイプ状のシャンクが挿し込まれ接合されるように形成されている。例えば、第１の空洞Ｋ１は、メジャートランペットブランドのスタンダードモデルを踏襲した経口となるように形成することが望ましく、このようにすることで幅広いマウスピースに対応することができ、また、第１の空洞Ｋ１は、要望により、適宜最適な経口にすることができる。
【００１９】
また、この例において、第２の空洞Ｋ２の内径は、第１の空洞Ｋ１の内径より小さくなるように形成されており、第３の空洞Ｋ３の内径は、第１の空洞Ｋ１の内径及び第２の空洞Ｋ２の内径より大きくなるように形成されている。なお、上記の形状は、実施形態における一例であり、これに限定されず、例えば、第1の空洞Ｋ１と第２の空洞Ｋ２が、一体的に、つまりストレートな形状で形成されていてもよく、また、第1の空洞Ｋ１と第２の空洞Ｋ２と第３の空洞Ｋ３が、一体的に、つまりストレートな形状で形成されていてもよい。
【００２０】
また、この例において、第１のマウスパイプ１０と第２のマウスパイプ２０は、第４のパイプ２０ａの外周が、第３のパイプ１０ｃの内周に嵌め込まれるように形成されている。すなわち、第１のマウスパイプ１０と第２のマウスパイプ２０は、着脱自在になるように形成されており、嵌め込まれ一体的な状態で、バズィングの練習を行うように構成されている。
【００２１】
上記のような構成のバズィング練習器具１００は、マウスピースＭを第１の空洞Ｋ１に差し込んだ状態での練習において、例えば、トランペットの実器と同じ音域で行なうことができ、バズィングトレーニングにありがちな高音域のひっかかりがないものとすることが期待できる。マウスピースＭに吹き込まれた息は、第１の空洞Ｋ１、第２の空洞Ｋ２、第３の空洞Ｋ３、第４の空洞Ｋ４及び貫通孔２０ｃの順に経由する。
【００２２】
バズィング練習器具１００は、ミュート用部材３０を用いてもよく、ミュート用部材３０は、第４の空洞Ｋ４に嵌め込まれるように形成されている。ミュート用部材３０は、密度の高いウレタンまたは密度の低いウレタンで形成されていることが望ましく、ミュートの効果を強くしたいときは、密度の高いウレタンを使用し、また、ミュートの効果を弱くしたいときは、密度の低いウレタンを使用するとよい。
【００２３】
また、バズィング練習器具１００は、実施形態において、トランペット運指練習器具２００とともに用いられるように、蓋部２０ｂの表面に棒状の練習器具接続部２０ｄを有している。なお、バズィング練習器具１００は、本考案の一例であり、これに限定されるものではなく、本考案は、上記の基本構成に基づき適宜最適な構成にすることができるものである。
【００２４】
次に、トランペット練習セット３００について説明する。トランペット練習セット３００は、バズィング練習器具１００とトランペット運指練習器具２００を構成としている。
【００２５】
トランペット運指練習器具２００は、ピストンバルブ２１０とパイプ状のフックパイプ２２０とピンキーフック２３０を有している。そして、バズィング練習器具１００の練習器具接続部２０ｄが、フックパイプ２２０に挿し込まれるように形成されている。
【００２６】
トランペット練習セット３００は、バズィング練習器具１００の練習器具接続部２０ｄが、フックパイプ２２０に挿し込まれ、且つ、マウスピースが空洞Ｋ１に差し込まれた状態で、バズィングの練習と運指の練習ができる優れた機能を有するものである。
【００２７】
上記のような特徴を有する本考案のバズィング練習器具１００及びトランペット練習セット３００は、手の平に入る簡易な構造であり、任意の場所においても使用することができ、トランペット演奏の技量の向上を図ることができるものである。
【００２８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２９】
また、バズィング練習器具具及びそれを用いたトランペット練習セットの大きさや形状、素材の厚さ、重さなどについては多様な実施形態が可能であり、それらについて本実施形態と異なる形態による実施は、本考案の技術的範囲に含まれる。
【符号の説明】
【００３０】
１００    バズィング練習器具
１０      第１のマウスパイプ
１０ａ    第１のパイプ
１０ｂ    第２のパイプ
１０ｃ    第３のパイプ
２０      第２のマウスパイプ
２０ａ    第４のパイプ
２０ｂ    蓋部
２０ｃ    貫通孔
２０ｄ    練習器具接続部
３０      ミュート用部材
２００    トランペット運指練習器具
２１０    ピストンバルブ
２２０    フックパイプ
２３０    ピンキーフック
３００    トランペット練習セット
Ｋ１      第１の空洞
Ｋ２      第２の空洞
Ｋ３      第３の空洞
Ｋ４      第４の空洞
Ｍ        マウスピース
【図１】
0003217921.tif 000003
【図２】
0003217921.tif 000004
【図３】
0003217921.tif 000005